【手続補正書】
【提出日】平成16年6月21日(2004.6.21)
【手続補正１】
【補正対象書類名】明細書
【補正対象項目名】特許請求の範囲
【補正方法】変更
【補正の内容】
【特許請求の範囲】
【請求項１】
少なくとも液晶材料と高分子樹脂とを含み、入射した光を透過する状態と、入射した光のうち一部を散乱する状態とが印加電圧によって切り換わる液晶表示層と、
前記液晶表示層を挟持する一対の基板と、
前記一対の基板のうち一方の基板に、前記液晶表示層に入射し透過した光のうち一部を前記入射側に向かって反射するように配置された偏光分離板と、
前記一方の基板に前記液晶表示層に対して前記偏光分離板よりも離れて配置され、前記偏光分離板を透過した光を吸収する光吸収部とを備える事を特徴とする液晶表示装置。
【請求項２】
少なくとも液晶材料と、二色性染料と、高分子樹脂とを含み、入射した光を透過する状態と、入射した光のうち一部を散乱する状態とが印加電圧によって切り換わる液晶表示層と、
前記液晶表示層を挟持する一対の基板と、
前記一対の基板のうち一方の基板に、前記液晶表示層に入射し透過した光のうち一部を前記入射側に向かって反射するように配置され、前記二色性染料の光吸収軸と直交する透過偏光軸を備えた偏光分離板と、
前記一方の基板に前記液晶表示層に対して前記偏光分離板よりも離れて配置され、前記偏光分離板を透過した光を吸収する光吸収部とを備える事を特徴とする液晶表示装置。
【請求項３】
前記液晶材料は、正の誘電異方性を有するとともに、電圧無印加時に於いて前記基板に対して水平方向に配向されている事を特徴とする請求項１又は２に記載の液晶表示装置。
【請求項４】
前記液晶材料及び前記高分子樹脂は各々複屈折性を有するとともに、同一偏光方向に対応する各々の屈折率が略一致している事を特徴とする請求項１乃至３のいずれか一項に記載の液晶表示装置。
【請求項５】
前記液晶材料を構成する液晶分子の水平配向時における分子長軸方向と前記偏光分離板の透過偏光軸とが略直交している事を特徴とする請求項１乃至４のいずれか一項に記載の液晶表示装置。
【請求項６】
少なくとも液晶材料と高分子樹脂とを含み、入射した光を透過する状態と、入射した光のうち一部を散乱する状態とが印加電圧によって切り換わる液晶表示層と、
前記液晶表示層を挟持する一対の基板とを備え、
前記一対の基板のうち一方の基板に、前記液晶表示層に入射し透過した光のうち一部を前記入射側に向かって反射するように配置された偏光分離板と、カラーフィルター層と、反射層とが、前記液晶表示層に対してこの順序で積層されている事を特徴とする液晶表示装置。
【請求項７】
前記一対の基板のうち他方の基板にカラーフィルター層が配置されている事を特徴とする請求項１乃至５のいずれか一項に記載の液晶表示装置。
【請求項８】
前記偏光分離板が、前記一方の基板の前記液晶表示層側に配置されている事を特徴とする請求項１乃至７のいずれか一項に記載の液晶表示装置。
【請求項９】
前記請求項１乃至８のいずれか一項に記載の液晶表示装置を表示部に有する事を特徴とする電子機器。
【手続補正２】
【補正対象書類名】明細書
【補正対象項目名】００１０
【補正方法】変更
【補正の内容】
【００１０】
【課題を解決するための手段】
本発明によれば、少なくとも液晶材料と高分子樹脂とを含み、入射した光を透過する状態と、入射した光のうち一部を散乱する状態とが印加電圧によって切り換わる液晶表示層と、前記液晶表示層を挟持する一対の基板と、前記一対の基板のうち一方の基板に、前記液晶表示層に入射し透過した光のうち一部を前記入射側に向かって反射するように配置された偏光分離板と、前記一方の基板に前記液晶表示層に対して前記偏光分離板よりも離れて配置され、前記偏光分離板を透過した光を吸収する光吸収部とを備える事を特徴とする液晶表示装置が提供される。
【手続補正３】
【補正対象書類名】明細書
【補正対象項目名】００１１
【補正方法】変更
【補正の内容】
【００１１】
上記構成によれば、偏光分離板により、偏光された散乱光を効率良く反射させるとともに、透過光の約半分を吸収して、明るい白色表示と、より安定した黒表示とが両立した表示外観が得られるという効果が得られる。  
本発明によれば、少なくとも液晶材料と、二色性染料と、高分子樹脂とを含み、入射した光を透過する状態と、入射した光のうち一部を散乱する状態とが印加電圧によって切り換わる液晶表示層と、前記液晶表示層を挟持する一対の基板と、前記一対の基板のうち一方の基板に、前記液晶表示層に入射し透過した光のうち一部を前記入射側に向かって反射するように配置され、前記二色性染料の光吸収軸と直交する透過偏光軸を備えた偏光分離板と、前記一方の基板に前記液晶表示層に対して前記偏光分離板よりも離れて配置され、前記偏光分離板を透過した光を吸収する光吸収部とを備える事を特徴とする液晶表示装置が提供される。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
本発明によれば、前記液晶材料は、正の誘電異方性を有するとともに、電圧無印加時に於いて前記基板に対して水平方向に配向されている事を特徴とする液晶表示装置が提供される。
【手続補正７】
【補正対象書類名】明細書
【補正対象項目名】００１７
【補正方法】変更
【補正の内容】
【００１７】
本発明によれば、前記液晶材料及び前記高分子樹脂は各々複屈折性を有するとともに、同一偏光方向に対応する各々の屈折率が略一致している事を特徴とする事を特徴とする液晶表示装置が提供される。
【手続補正８】
【補正対象書類名】明細書
【補正対象項目名】００１９
【補正方法】変更
【補正の内容】
【００１９】
本発明によれば、前記液晶材料を構成する液晶分子の水平配向時における分子長軸方向と前記偏光分離板の透過偏光軸とが略直交している事を特徴とする液晶表示装置が提供される。
【手続補正９】
【補正対象書類名】明細書
【補正対象項目名】００２１
【補正方法】変更
【補正の内容】
【００２１】
本発明によれば、少なくとも液晶材料と高分子樹脂とを含み、入射した光を透過する状態と、入射した光のうち一部を散乱する状態とが印加電圧によって切り換わる液晶表示層と、前記液晶表示層を挟持する一対の基板とを備え、前記一対の基板のうち一方の基板に、前記液晶表示層に入射し透過した光のうち一部を前記入射側に向かって反射するように配置された偏光分離板と、カラーフィルター層と、反射層とが、前記液晶表示層に対してこの順序で積層されている事を特徴とする液晶表示装置が提供される。
【手続補正１０】
【補正対象書類名】明細書
【補正対象項目名】００２３
【補正方法】変更
【補正の内容】
【００２３】
本発明によれば、前記一対の基板のうち他方の基板にカラーフィルター層が配置されている事を特徴とする液晶表示装置が提供される。
【手続補正１１】
【補正対象書類名】明細書
【補正対象項目名】００２５
【補正方法】変更
【補正の内容】
【００２５】
本発明によれば、前記偏光分離板が、前記一方の基板の前記液晶表示層側に配置されている事を特徴とする液晶表示装置が提供される。
【手続補正１２】
【補正対象書類名】明細書
【補正対象項目名】００２７
【補正方法】変更
【補正の内容】
【００２７】
本発明によれば、上記液晶表示装置を表示部に有する事を特徴とする電子機器が提供される。
【手続補正１３】
【補正対象書類名】明細書
【補正対象項目名】００５８
【補正方法】変更
【補正の内容】
【００５８】
（実施例７）
これまで述べてきた各実施例に於いては、偏光分離板５を下基板２の下側、つまり液晶表示層９もしくは２２と反対側の面に配置してきた。これは、通常、偏光分離板はプラスチックフィルムから構成されているため耐熱性も１５０℃程度で、液晶表示層９もしくは２２の側に配置した場合、透明電極やポリイミド樹脂による配向膜の形成時にそれ以上の温度で処理できず、製造工程の時間が長くなる、製造工程の条件管理が厳しくなる等、主に製造性の低下を回避するためにこのような配置を行ってきた。しかし、偏光分離板５の偏光反射面を、より液晶表示層に接近させる事は表示品質の向上に有効である。特に、細かい赤、緑、青色の画素の集合からから構成される反射型カラー液晶表示装置に於いては反射面が下基板２を挟んで反対側に配置された場合には、入射光Ａが例えば赤色のカラ
ーフィルターを通過して赤色光となって液晶表示層９もしくは２２を通過するとともに散乱され更に偏光分離板５で反射されて表示観察者方向にもどされる時、隣のカラーフィルター層を通過して出射される光線が存在する。この混色の割合はカラーフィルター層と反射部との距離が増えるほど大きくなることは明らかである。従って、混合色が出て所望の色が表現できないとか、視角方向によって色が変わってしまうといった不都合が生じてしまう。画素サイズが０．２ｍｍ、下基板２の厚みが１ｍｍといった小型携帯情報機器の表示体の場合には上記色の混合は重大なカラー品質の低下をもたらす。